【事件の表示】
　特願２００１−１６９０００「プリンタ及びプリンタヘッド」拒絶査定不服審判事件〔平成１４年　４月　９日出願公開、特開２００２−１０３５９７〕について、次のとおり審決する。
【結　論】
　本件審判の請求は、成り立たない。
【理　由】
第１　手続の経緯
　本願は、平成１３年６月５日（優先権主張　平成１２年７月２５日）の出願であって、平成１７年３月７日付けで拒絶の査定がされたため、これを不服として同年３月２９日付けで本件審判請求がされるとともに、同年４月２５日付けで明細書についての手続補正（以下、「本件補正」という。）がされたものである。
　
　
第２　平成１７年４月２５日付けの手続補正についての補正却下の決定
［補正却下の決定の結論］
　平成１７年４月２５日付けの手続補正を却下する。
　
［理由］
１．補正内容
　本件補正は、特許請求の範囲を補正するものであり、補正前の請求項１−１８の記載及び補正後の請求項１−１６の記載は、それぞれ次のとおりである。
　
（補正前の請求項１−１８）
　「【請求項１】
　ノズル列を形成する複数のノズルよりそれぞれインク液滴を飛び出させて印刷対象に画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置された
　ことを特徴とするプリンタ。
　　【請求項２】
　前記一部で重なり合う部位において、一方のヘッドチップが受け持つドット作成箇所と、他方のヘッドチップが受け持つドット作成箇所とが混在するように、前記インク吐出機構を駆動する
　ことを特徴とする請求項１に記載のプリンタ。
　　【請求項３】
　前記一部で重なり合う部位において、前記一部で重なり合う部位に設定した境界を境にして、前記重なり合う部位のドット作成箇所を、前記重なり合う部位を受け持つヘッドチップに割り当てるように、前記インク吐出機構を駆動し、
　前記境界を適宜変化させる
　ことを特徴とする請求項１に記載のプリンタ。
　　【請求項４】
　前記境界を印刷する対象に応じて変化させる
　ことを特徴とする請求項３に記載のプリンタ。
　　【請求項５】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１に記載のプリンタ。
　　【請求項６】
　ノズル列を形成する複数のノズルよりそれぞれインク液滴を飛び出させて印刷対象に画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　前記ノズルプレートは、
　前記印刷対象の送り方向を横切る方向に、ほぼ前記印刷対象の幅の分だけ前記ノズルが並んで前記ノズル列が形成された
　ことを特徴とするプリンタ。
　　【請求項７】
　前記ノズルプレートは、
　前記ノズル列が、カラー画像の印刷に供する複数色のインクに対応して複数列形成された
　ことを特徴とする請求項６に記載のプリンタ。
　　【請求項８】
　ノズル列を形成する複数のノズルよりそれぞれインク液滴を飛び出させて印刷対象にカラー画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　前記ノズルプレートは、
　前記ノズル列が、前記カラー画像の印刷に供する複数色のインクに対応して複数列形成された
　ことを特徴とするプリンタ。
　　【請求項９】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項８に記載のプリンタ。
　　【請求項１０】
　ノズル列を形成する複数のノズルよりそれぞれインク液滴を飛び出させて印刷対象にカラー画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　前記ノズルプレートは、
　前記印刷対象の送り方向を横切る方向に、ほぼ前記印刷対象の幅の分だけ前記ノズルが並んで前記ノズル列が形成され、
　前記ノズル列が、前記カラー画像の印刷に供する複数色のインクに対応して複数列形成された
　ことを特徴とするプリンタ。
　　【請求項１１】
　前記ノズル列の延長する方向に延長するインク流路を間に挟んで、前記隣接するヘッドチップが千鳥配置された
　ことを特徴とする請求項１、請求項６、請求項８又は請求項１０に記載のプリンタ。
　　【請求項１２】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置された
　ことを特徴とするプリンタヘッド。
　　【請求項１３】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１２に記載のプリンタヘッド。
　　【請求項１４】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　前記ノズルプレートは、
　前記印刷対象の送り方向を横切る方向に、ほぼ前記印刷対象の幅の分だけ前記ノズルが並んで前記ノズル列が形成された
　ことを特徴とするプリンタヘッド。
　
　　【請求項１５】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　前記ノズルプレートは、
　前記ノズル列が、カラー画像の印刷に供する複数色のインクに対応して複数列形成された
　ことを特徴とするプリンタヘッド。
　　【請求項１６】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１５に記載のプリンタヘッド。
　　【請求項１７】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　前記ノズルプレートは、
　前記印刷対象の送り方向を横切る方向に、ほぼ前記印刷対象の幅の分だけ前記ノズルが並んで前記ノズル列が形成され、
　前記ノズル列が、カラー画像の印刷に供する複数色のインクに対応して複数列形成された
　ことを特徴とするプリンタヘッド。
　　【請求項１８】
　前記ノズル列の延長する方向に延長するインク流路を間に挟んで、前記隣接するヘッドチップが千鳥配置された
　ことを特徴とする請求項１２、請求項１４、請求項１５又は請求項１７に記載のプリンタヘッド。」
　
（補正後の請求項１−１６）
　「【請求項１】
　ノズル列を形成する複数のノズルよりそれぞれインク液滴を飛び出させて印刷対象に画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置された
　ことを特徴とするプリンタ。
【請求項２】
　前記一部で重なり合う部位において、一方のヘッドチップが受け持つドット作成箇所と、他方のヘッドチップが受け持つドット作成箇所とが混在するように、前記インク吐出機構を駆動する
　ことを特徴とする請求項１に記載のプリンタ。
【請求項３】
　前記一部で重なり合う部位において、前記一部で重なり合う部位に設定した境界を境にして、前記重なり合う部位のドット作成箇所を、前記重なり合う部位を受け持つヘッドチップに割り当てるように、前記インク吐出機構を駆動し、
　前記境界を適宜変化させる
　ことを特徴とする請求項１に記載のプリンタ。
【請求項４】
　前記境界を印刷する対象に応じて変化させる
　ことを特徴とする請求項３に記載のプリンタ。
【請求項５】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１に記載のプリンタ。
【請求項６】
　ノズル列を形成する複数のノズルよりそれぞれインク液滴を飛び出させて印刷対象に画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記印刷対象の送り方向を横切る方向に、ほぼ前記印刷対象の幅の分だけ前記ノズルが並んで前記ノズル列が形成された
　ことを特徴とするプリンタ。
【請求項７】
　前記ノズルプレートは、
　前記ノズル列が、カラー画像の印刷に供する複数色のインクに対応して複数列形成された
　ことを特徴とする請求項６に記載のプリンタ。
【請求項８】
　ノズル列を形成する複数のノズルよりそれぞれインク液滴を飛び出させて印刷対象にカラー画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記ノズル列が、前記カラー画像の印刷に供する複数色のインクに対応して複数列形成され、
　前記インク流路は、
　前記複数色のインクに対応して、前記ノズル列の延長する方向に設けられている
　ことを特徴とするプリンタ。
【請求項９】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項８に記載のプリンタ。
【請求項１０】
　ノズル列を形成する複数のノズルよりそれぞれインク液滴を飛び出させて印刷対象にカラー画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記印刷対象の送り方向を横切る方向に、ほぼ前記印刷対象の幅の分だけ前記ノズルが並んで前記ノズル列が形成され、
　前記ノズル列が、前記カラー画像の印刷に供する複数色のインクに対応して複数列形成され、
　前記インク流路は、
　前記複数色のインクに対応して、前記ノズル列の延長する方向に設けられている
　ことを特徴とするプリンタ。
【請求項１１】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置された
　ことを特徴とするプリンタヘッド。
【請求項１２】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１１に記載のプリンタヘッド。
【請求項１３】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記印刷対象の送り方向を横切る方向に、ほぼ前記印刷対象の幅の分だけ前記ノズルが並んで前記ノズル列が形成された
　ことを特徴とするプリンタヘッド。
【請求項１４】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記ノズル列が、カラー画像の印刷に供する複数色のインクに対応して複数列形成され、
　前記インク流路は、
　前記複数色のインクに対応して、前記ノズル列の延長する方向に設けられている
　ことを特徴とするプリンタヘッド。
【請求項１５】
　前記ノズルプレートは、
　前記印刷対象の送り方向を横切る方向に、ほぼ前記印刷対象の幅の分だけ前記ノズルが並んで前記ノズル列が形成された
　ことを特徴とする請求項１４に記載のプリンタヘッド。
【請求項１６】
　ノズル列を形成する複数のノズルよりそれぞれインク液滴を飛び出させて印刷対象に画像を形成するプリンタヘッドにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見たときに、隣接するヘッドチップが一部で重なり合うように前記ノズルプレートに前記ヘッドチップが配置され、
　さらに前記ノズル列の延長する方向に延長するインク流路を間に挟んで千鳥に、前記インク流路に接するように、前記ヘッドチップが配置され、
　前記ノズルプレートは、
　前記印刷対象の送り方向を横切る方向に、ほぼ前記印刷対象の幅の分だけ前記ノズルが並んで前記ノズル列が形成され、
　前記ノズル列が、カラー画像の印刷に供する複数色のインクに対応して複数列形成され、
　前記インク流路は、
　前記複数色のインクに対応して、前記ノズル列の延長する方向に設けられている
　ことを特徴とするプリンタヘッド。」
　
２．本件補正の目的
　本件補正によって、補正前の独立請求項である請求項１、６，１２，１４には、「さらに前記ノズル列の延長する方向に延長するインク流路を間に挟んで千鳥に、前記インク流路に接するように、前記ヘッドチップが配置され」という事項が追加され、また補正前の独立請求項である請求項８，１０，１５，１７には、「さらに前記ノズル列の延長する方向に延長するインク流路を間に挟んで千鳥に、前記インク流路に接するように、前記ヘッドチップが配置され」及び「前記インク流路は、前記複数色のインクに対応して、前記ノズル列の延長する方向に設けられている」という事項が追加されているが、上記補正前の独立請求項を引用し、かつその発明特定事項の全てを自己の発明特定事項とする請求項の記載は補正されていない。
　また一方、補正前の請求項１１，１８は削除されている。
　
　前記請求項１に係る補正について検討する。
　補正前の請求項１に記載の「前記ノズルから前記インク液滴を飛び出させるインク吐出機構」を有する「プリンタ」においては、当該「インク吐出機構」にインク供給源からのインクを導くための「インク流路」を備えることは当然なのだから、記載はされていないものの、補正前の請求項１に係る「プリンタ」は、当然にこの「インク流路」を備える「プリンタ」であると解される。
　そして、「さらに前記ノズル列の延長する方向に延長するインク流路を間に挟んで千鳥に、前記インク流路に接するように、前記ヘッドチップが配置され」という追加された事項は、「ヘッドチップ」と「インク流路」の配置関係を特定する事項であるから、当該事項を追加する本件補正は、補正前の請求項１に記載の「ヘッドチップ」と、補正前の請求項１に係る「プリンタ」が当然に備えるべき「インク流路」との配置関係について限定したものと認められる。
　この点については、他の独立請求項である請求項６，１２，１４についても、かつこれら請求項１、６，１２，１４を引用し、かつその発明特定事項の全てを自己の発明特定事項とする請求項についても同様である。
　
　次に前記請求項８に係る補正について検討する。
　「さらに前記ノズル列の延長する方向に延長するインク流路を間に挟んで千鳥に、前記インク流路に接するように、前記ヘッドチップが配置され」及び「前記インク流路は、前記複数色のインクに対応して、前記ノズル列の延長する方向に設けられている」という２つの事項が追加されているが、前者の事項を追加する本件補正は、上述した請求項１に係る補正と同様に補正前の請求項８に記載の「ヘッドチップ」と、補正前の請求項８に係る「プリンタ」が当然に備えるべき「インク流路」との配置関係を限定したものと認められる。
　また、補正前の請求項８が「カラー画像を形成するプリンタ」であって、「前記ノズル列が、前記カラー画像の印刷に供する複数色のインクに対応して複数列形成された」ものであることからして、「インク流路」が各色のインク毎に備えられていることは当然であるから、後者の事項を追加する本件補正は、形式的には前者の事項が追加されたことにより明示的に記載されることとなった「インク流路」につき、その方向を特定するものとも解されるが、「インク流路」の方向は、既に前者の事項によって特定されているのであるから、実質的には何ら別途の特定を含むことのないものである。
　してみるに、前記請求項８に係る補正は、全体としては請求項８に係る発明を限定するものと認められる。
　また、他の独立請求項である請求項１０，１５，１７についても、かつこれら請求項８，１０，１５，１７を引用し、かつその発明特定事項の全てを自己の発明特定事項とする請求項についても同様である。
　
　してみるに、本件補正は、平成１８年改正前特許法１７条の２第４項１号、及び２号の請求項の削除、及び特許請求の範囲の限定的減縮を目的とするものと認める。
　
３．独立特許要件欠如
　上記のとおり、本件補正は、平成１８年改正前特許法第１７条の２第４項第２号の特許請求の範囲の限定的減縮を目的とする補正を含むから、本件補正後に限定されることとなった請求項１に記載された発明（以下、「補正発明」という。）が特許出願の際独立して特許を受けることができるものであるか（平成１８年改正前特許法第１７条の２第５項において準用する同法第１２６条第５項の規定に適合するか）について、さらに検討する。
　
（１）引用刊行物の記載事項
  本願の優先権主張日前に日本国内において頒布された特開平６−８４４６号公報（以下「引用例１」という。）には、以下の記載が図示とともにある。
　
ア．「次に、付勢された抵抗器によって発生する熱で、対応したオリフィスからインク小滴を噴射させることができるように、各気化室及びオリフィスに対応した抵抗器を含むシリコン・ダイが、テープ上に気化室に向かい合って配置される。各シリコン・ダイのオリフィスに対するアラインメントはオリフィス自体のアラインメントに比べると公差が厳しくないので、各シリコン・ダイを対応するオリフィス・アレイに対して適切にアラインメントを取るのは、比較的簡単な手順である。」（【００１５】）
　
イ.「本発明の一実施例では、図１(a)において参照番号２０で表示した単一のグループのような各オリフィス・グループは、ヒータ抵抗器を含む単一のシリコン・ダイと対応付けられており、またここで１つのヒータ抵抗器が単一のオリフィスと気化室に対応付けられている。」（【００１９】）
　
ウ．「シリコン・ダイは、図２のプリントヘッド１０の下部における矩形の井戸状部３４のそれぞれに配置されている。各矩形の井戸状部３４内のスロット３６及び３８はインク・リザーバ１２と通じており、インクはこのスロット３６及び３８を通って流れることができるようになっている。」（【００２５】）
エ．「シリコン・ダイは図２の対応する井戸状部３４とアラインメントの取れるようにノズル部材１８の背面に配置される。各シリコン・ダイは、各シリコン・ダイの縁がスロット３６及び３８を完全にカバーしてしまわないようなサイズになっている。この結果、インクが、インク・リザーバ１２から流出して、スロット３６及び３８を通り、井戸状部３４内に配置されたシリコン・ダイの縁をまわって、ノズル部材１８の背面に形成された各気化室に達するようにできる。」（【００２６】）
　
オ．「図４には、シリコン・ダイ４２が図３に示す対応するオリフィス・グループとアラインメントが取れるように配置された、図３のテープの背面が示されている。」（【００２８】）
　
カ．「図５では、インクはインク・リザーバ１２から流出して、フィルタ・スクリーン６６を通り、更にスロット３６及び３８を通って、シリコン・ダイ５６の縁のまわりに流れていく。次に、インクは、それぞれシリコン・ダイ５６上に形成されたヒータ抵抗器に対応付けられたノズル部材１８の背面に形成された気化室に入る。スクリーン６６はステンレス鋼先を編んだものであってよい。」（【００３５】）
　
キ．「図６は、シリコン・ダイ５６の縁のまわりのインク６７の流れ、及びインク・リザーバ１２の下方壁５３にノズル部材１８を固定する方法を示すための、図５の円形部分Ｂ−Ｂの拡大図である。
　・・・ヒータ抵抗器を含むシリコン・ダイ５６の前面がノズル部材１８の背面に面するようにノズル部材１８に取り付けられた単一のシリコン・ダイ５６も示されている。シリコン・ダイ５６の背面は、図示のように、インク・リザーバ１２からのインクにさらされ、支柱６２によって支持されている。
　インクがシリコン・ダイ５６の右側の縁７２をまわって気化室に流入するようにするため、ノズル部材１８の背面には、気化室７６に通じてインクをヒータ抵抗器７８に接触させるインク・チャネル７４が形成されている。レーザ融除を用いて、インク・チャネル７４と気化室７６に加えてオリフィス８０をノズル部材１８に形成することができる。・・・同様の構成によって、インクがシリコン・ダイ５６の左側の縁をまわって流れ、シリコン・ダイ５６の左側の気化室に供給されるようにする。」（【００３６】−【００３９】）
　
ク．「図１０には、ノズル部材１８に形成されたオリフィス・ホール１６が示されている。ノズル部材１８のこの底面には、図２のスロット３６及び３８と気化室８５の間でインク・チャネル８８を介して液体が流通できるようにするインク・マニフォールド８４も形成されている。オリフィス・ホール１６、気化室８５、インク・マニフォールド８４、及びインク・チャネル８８は、レーザ融除またはマスクで画定されたパターンでノズル部材の材料の一部を除去することを伴う他のエッチング手段を用いて形成することが可能である。」（【００４７】）
　
ケ．「個々の図、特に顕著には最も顕著なのは図１(a)、３、及び４から、わかるように、単一のテープ・ストリップ上に、任意の数のオリフィス・グループを形成できる。この形成処理はステップ・アンド・リピート式マスキング及びエッチングまたはレーザ融除手順によって簡単に行えるので、各グループ相互間の精確なアラインメントを取ることができる。また、この方法で、気化室と各オリフィスとの精確なアラインメントを取ることができる。」（【００５２】）
　
コ．「図１２には、本発明の幅広のプリントヘッドを用いてプリントできる方法の概略を示す。ここで、プリントヘッド１０はプリンタ内に固定され、プリントヘッド１０内の個々のヒータを選択的に付勢して記録媒体９８上に文字またはイメージを形成する」（【００５３】）
　
サ．「図１３には、ノズル部材上でシリコン・ダイのアラインメントを取るための望ましい方法を含む、ノズル部材の望ましい実施例を形成するための方法の１つが示されている。・・・テープ１０４は通常はリール１０５に取り付けられる長いストリップ状に作られる。テープ１０４の側部に沿った送り穴１０６を用いて、テープ１０４の正確で確実な移送が行われる。こうする代わりに、送り穴１０６を省略し他のタイプの取り付け具でテープを移送してもよい。」（【００５４】−【００５６】）
　
シ．「次に、テープ１０４は次のステーションに送られる。これは Shinkawa Coorporation から市販されている型式番号ＩＬ−２０の内部リード線ボンダのような従来の自動ＴＡＢボンダに組み込まれる光学アラインメント・ステーション１１８である。・・・ボンダは、次にノズル部材に対してシリコン・ダイ１２０を自動的に位置決めし、２つのターゲット・パターンのアラインメントを取る。」（【００７５】）
　
ス．図１(a)、図３からは、ノズル部材に複数のオリフィス・ホールが列状に配列されていること、及びノズル部材に形成された複数のオリフィス・ホールが、複数のオリフィス・ホールから構成される複数のオリフィス・グループにグループ分けされ、かつこれら複数のオリフィス・グループが千鳥状に配置されていることが看取できる。
　
セ．図５からは、スロット３６が、左右のシリコンダイ５６の間に形成されていることが看取される。
　
ソ．図１０からは、気化室８５がオリフィス・ホール１６と連通していることが看取される。
　
（２）引用例１記載の発明の認定
　図１−３、図５、図６、及び図２を説明する上記記載ウ、エ、及び図５を説明する「図５は、ラインＡ−Ａに沿って描いた、図１(a)のプリントヘッドを部分的に切り欠いた部分断面側面図である。・・・図５には、それぞれオリフィス・グループと対応付けられた２つのシリコン・ダイ５６も示されている。」（【００３３】）、及び図６を説明する「【図６】図５に占めず断面図の部分拡大図。」（【図面の簡単な説明】）からすると、スロット３６，３８が複数のオリフィス・ホールの配列方向に、シリコンダイに接して形成されていること、及びシリコン・ダイ５６が千鳥状に配置されていることが理解できる。
　してみるに、記載ア〜ソを含む引用例１には、次の発明が記載されているものと認める。
　
「列状に形成された個々のオリフィス・ホール１６からインク小滴を噴射させて記録媒体９８上に文字またはイメージを形成するインクジェットプリンタにおいて、
　プリントヘッド１０は、
　単一のテープ・ストリップ上に、複数のオリフィス・ホール１６及び当該オリフィス・ホール１６と連通する気化室（７６，８５）が列状に形成されたノズル部材１８と、
　前記列状に形成された複数のオリフィス・ホール１６をグループ分けすることで構成された各オリフィス・グループと対応付けて順次配置され、各ヒータ抵抗器７８がノズル部材１８上に気化室（７６，８５）に向かい合って配置されることで、付勢されたヒータ抵抗器７８によって発生する熱で、対応したオリフィス・ホール１６からインク小滴が噴射されるようにした、ヒータ抵抗器７８を含むシリコン・ダイ５６とを有し、
　オリフィス・ホール１６の配列方向に形成されたスロット３６を間に挟んで千鳥状に、前記スロット３６に接するようにシリコン・ダイ５６が配置され、インクはスロット３６を通りシリコン・ダイ５６の縁をまわって気化室（７６，８５）に達するようにできているインクジェットプリンタ。」（以下「引用発明１」という。）
　
（３）補正発明と引用発明１との対比
　以下、本審決では「発明を特定するための事項」という意味で「構成」との用語を用いることがある。
　引用発明１の「オリフィス・ホール１６」、「インク小滴」、「記録媒体９８」、「文字またはイメージを形成する」は、それぞれ補正発明の「ノズル」、「インク液滴」、「印刷対象」、「画像を形成する」に相当するから、引用発明の「列状に形成された個々のオリフィス・ホール１６からインク小滴を噴射させて記録媒体９８上に文字またはイメージを形成するインクジェットプリンタ」は、補正発明の「ノズル列を形成する複数のノズルよりそれぞれインク液滴を飛び出させて印刷対象に画像を形成するプリンタ」に相当する。
　また、引用発明１の「ノズル部材１８」はテープ・ストリップであり薄板状であるから、引用発明の「単一のテープ・ストリップ上に、複数のオリフィス・ホール１６及び気化室（７６，８５）が列状に形成されたノズル部材１８」は、「前記ノズル列の形成された一枚の薄板材であるノズルプレート」といえる。
　また、引用発明１の「オリフィス・グループ」は、「列状に形成された複数のオリフィス・ホール１６をグループ分けすること」で構成されるのだから、列状に形成された複数のオリフィス・ホール１６の一部複数のオリフィス・ホール１６に相当するから、「シリコン・ダイ５６」が「各オリフィス・グループと対応付けて順次配置され」ることは、シリコン・ダイ５６が、列状に形成された複数のオリフィス・ホール１６の一部複数のオリフィス・ホール１６に割り当てられてノズル部材１８に順次配置されることを示す。
　また、引用発明１の「気化室（７６，８５）」は、ヒータ抵抗器７８と向かい合って配置されており、このヒータ抵抗器７８によって発生する熱で、気化室（７６，８５）と連通するオリフィス・ホール１６からインク小滴が噴射されるのだから、「気化室（７６，８５）」にインクが保持されていることは明らかであり、このことをもって「気化室（７６，８５）」を「インク液室」ということができる。そしてこの場合、「シリコン・ダイ５６」が「ノズル部材１８上に気化室（７６，８５）に向かい合って配置」されることで、インクを保持する気化室（７６，８５）が形成され、インク吐出機構が形成されるということがいえる。
　以上のように、シリコン・ダイ５６は、ノズル部材１８に配置されプリントヘッド１０のインク吐出機構を形成するのだから、ノズルプレートに配置されインク吐出機構を形成する補正発明の「ヘッドチップ」に相当するということができる。
　そうすると、引用発明１の「前記列状に形成された複数のオリフィス・ホール１６をグループ分けすることで構成された各オリフィス・グループと対応付けて順次配置され、各ヒータ抵抗器７８がノズル部材１８上に気化室（７６，８５）に向かい合って配置されることで、付勢されたヒータ抵抗器７８によって発生する熱で、対応したオリフィス・ホール１６からインク小滴が噴射されるようにした、ヒータ抵抗器７８を含むシリコン・ダイ５６とを有し」は、補正発明の「前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し」に相当する。
　そして、引用発明１の「スロット３６」は「インクを通している」のだから、「インク流路」ということができ、引用発明１の「オリフィス・ホール１６の配列方向に形成されたスロット３６を間に挟んで千鳥状に、前記スロット３６に接するようにシリコン・ダイ５６が配置され」は、補正発明の「前記ノズル列の延長する方向に延長するインク流路を間に挟んで千鳥に、前記インク流路に接するように、前記ヘッドチップが配置され」に相当する。
　
　したがって、補正発明と引用発明とは、以下の一致点で一致し、以下の相違点で相違する。
＜一致点＞
「ノズル列を形成する複数のノズルよりそれぞれインク液滴を飛び出させて印刷対象に画像を形成するプリンタにおいて、
　前記ノズル列の形成された一枚の薄板材であるノズルプレートと、
　前記ノズル列を形成する前記複数のノズルの一部複数のノズルに割り当てられて前記ノズルプレートに順次配置され、前記ノズルプレートと共に前記インク液滴のインクを保持するインク液室を形成し、前記ノズルから前記インク液滴を飛び出させるインク吐出機構を形成するヘッドチップとを有し、
　前記ノズル列の延長する方向に延長するインク流路を間に挟んで千鳥に、前記インク流路に接するように、前記ヘッドチップが配置されたプリンタ。」
　
＜相違点＞
　補正発明が、「１つの前記ヘッドチップに割り当てられた前記一部複数のノズルの一部が、隣接するヘッドチップに割り当てた前記一部複数のノズルの一部と、ほぼ同一の箇所に前記インク液滴を付着させることができるように、印刷対象の送り方向より見て、隣接するヘッドチップが一部で重なり合うように」「配置され」る構成を備えているのに対して、引用発明１ではそのような構成を備えていない点。
　
（４）相違点についての判断及び補正発明の独立特許要件の判断
　原査定の拒絶の理由に引用された、本願の優先権主張日前に日本国内において頒布された特開２０００−７９７０７号公報（以下「引用例２」という。）には、次の記載が図示とともにある。
　
Ａ．「前記インクジェット記録ヘッド２３は、図２及び図３に示すように、多数のインク吐出口２３ａを所定のピッチで並べて設けた３個のヘッドユニット２３１，２３２，２３３を共通基板２３４の両面に、ヘッドユニット２３２を一面側の中央部に、ヘッドユニット２３１，２３３を他面側の端側部にして張り合わせた構成」（【００１７】）
Ｂ．「また、インク吐出口の７番目から１２番目まではヘッドユニット２３２のインク吐出口ａ〜ｆとヘッドユニット２３３のインク吐出口ｆ〜ａが紙送り方向ｙにおいて重複しており、ここでは両方のヘッドユニット２３２，２３３のインク吐出口からのインク吐出を組合わせて１ドットを形成する」（【００３６】）
　
Ｃ．「ヘッドユニット２３２と２３３とはインク吐出ラインがｙ方向にずれているのでインク吐出のタイミングが調整され、１ラインとして印字されることになる。」（【００４２】）
　
Ｄ．図３及び図５からは、紙送り方向ｙより見て、隣接するヘッドユニットが一部で重なり合うように配置されていることが看取される。
　
　上記記載Ａ．〜Ｄ．からみて、引用例２には、「１つのヘッドユニットに設けられた複数のインク吐出口の一部が、隣接するヘッドユニットに設けられた複数のインク吐出口の一部と紙送り方向において重複するように、隣接するヘッドユニットが配置されており、紙送り方向において重複した前記インク吐出口からのインク吐出を組み合わせて１ドットを形成する」ことが記載されているといえる。
　ここで引用例２に記載の「インク吐出口」、「紙送り方向において」、「重複する」は、それぞれ補正発明の「ノズル」、「印刷対象の送り方向より見て」、「重なり合う」に相当する。
　また、引用例２に記載の「インク吐出を組み合わせて１ドットを形成する」とは、インク滴を、ほぼ同一の箇所に付着させることに他ならない。
　そうすると、引用発明２の「ヘッドユニット」も補正発明の「ヘッドチップ」も、それぞれ複数のノズルと対応しているのだから、この対応する複数のノズルを「ノズルグループ」と定義したならば、引用例２の上記記載からみて、引用例２は上記相違点に係る補正発明の構成と、「１つの前記ノズルグループに割り当てられた前記一部複数のノズルの一部が、隣接するノズルグループに割り当てた前記一部複数のノズルの一部と、ほぼ同一の箇所に前記インク液滴を付着させることができるように、印刷対象の送り方向より見て、隣接するノズルグループが一部で重なり合うように配置され」る点（以下、「引用例２開示構成」という。）で共通している。
　
　そこで検討する。
　まず、引用例１のプリントヘッド１０（インクジェットヘッドに相当する。）は、上記記載コにあるように、幅広のインクジェットヘッドであり、当該幅広のインクジェットヘッドを形成するために、複数のオリフィス・グループ（ノズルグループに相当する。）を千鳥に配置したものである。
　一方引用例２のインクジェットヘッドも、上記記載Ａ、「インク吐出口の数を増やす技術としては、多数のインク吐出口を並べて設けたヘッドユニットを複数個、この各ヘッドユニットのインク吐出口の並びが略平行になるように一体配置して１個の長尺なインクジェットヘッドを形成する技術がある。そして、ヘッドの長さを記録用紙の幅に対応させることでラインヘッドとなり」（【０００２】）、「前述した各実施の形態は３つのヘッドユニットを並べて配置して１つのインクジェットヘッドを構成する場合について述べたが必ずしもこれに限定するものではなく、２つや４つ以上のヘッドユニットを並べて配置して１つのインクジェットヘッドを構成する場合であってもよい。」（【０１４３】）、図２，図３の記載を参照すれば、長尺（幅広に相当）のインクジェットヘッドであり、当該長尺のインクジェットヘッドを形成するために、複数のノズルグループを千鳥に配置したものである。
　
　そうすると、引用例１、及び引用例２に開示されたインクジェットヘッドは、複数のノズルグループを千鳥に配置して長尺に構成される点において軌を一にするのだから、引用発明１において、オリフィス・グループを千鳥に配置する構成をとるにあたって、引用例２に開示されたノズルグループを千鳥に配置する際の上記引用例２開示構成を採用する程度のことは想到容易である。
　そしてこの場合、 引用発明１においては、印刷対象の送り方向より見て、重なり合わせるオリフィス・ホールは一枚の薄板材であるノズル部材に形成されるのだから、各オリフィス・グループの端部を重複させるように、ノズル部材にオリフィス・ホールを形成することは設計事項である。
　したがって、引用発明１に、上記相違点に係る補正発明の構成を適用することは想到容易である。
　
＜補正発明の独立特許要件の判断＞
　相違点に係る補正発明の構成は、当業者にとって想到容易であり、この構成を採用したことによる格別の作用効果を認めることもできないから、補正発明は引用発明１及び引用例２記載の技術に基づいて当業者が容易に発明をすることができたものであるから、特許法２９条２項の規定により特許出願の際独立して特許を受けることができない。
　
　すなわち、本件補正は平成１８年改正前特許法１７条の２第５項で準用する同法１２６条５項の規定に違反している。
　
［補正の却下の決定のむすび］
　以上のとおり、本件補正は平成１８年改正前特許法１７条の２第５項で準用する同法１２６条５項の規定に違反しているから、同法１５９条１項で読み替えて準用する同法５３条１項の規定により却下されなければならない。
　
　
第３　本件審判請求についての判断
１．本願発明の認定
　上記のごとく本件補正が却下されたから、本願の請求項１に係る発明（以下、「本願発明」という。）は、平成１６年１１月２日付け手続補正により補正された明細書の特許請求の範囲【請求項１】に記載された事項によって特定されるものであり、その記載は「第２［理由］１．」に補正前の請求項１として記載したとおりである。
２．引用刊行物の記載事項
  「第２［理由］３．（４）」で示した引用例２は原査定の拒絶の理由に引用されたものであって、当該引用例２には、「第２［理由］３．（４）」で示した事項（記載Ａ．〜Ｄ．）に加えて、さらに次の事項が記載されている。
　
Ｆ．「多数のインク吐出口を並べて設けたヘッドユニットを複数個、それぞれのインク吐出口の並びが略平行になるように一体配置して形成したインクジェットヘッドを備え、このインクジェットヘッドに対して、そのヘッドの各インク吐出口の並びの方向であるライン方向とは直交する方向に記録媒体を相対移動させつつ画像信号に基づいて前記インクジェットヘッドを駆動し、各インク吐出口から前記記録媒体に選択的にインクを吐出して記録を行うインクジェット記録装置において、
隣合うヘッドユニットの端部の濃度変化が発生する可能性のあるＰ（但し、Ｐ≧１）個のインク吐出口を含むＱ（但し、Ｑ＞Ｐ）個のインク吐出口が互いに記録媒体の移動方向において重なり合うように配置し、この重なり合ったＱ個のインク吐出口においては、重なり合う複数のインク吐出口からのインク吐出により１ドットを形成するように制御するとともにこの画像領域の平均濃度が一定の割合で変化するように複数のインク吐出口からのインク吐出量の割合を可変することを特徴とするインクジェット記録装置。」（【請求項１】）
　
３．引用例２記載の発明の認定
　上記記載Ａ．〜Ｆ．を含む引用例２には、次の発明が記載されているものと認める。
「多数のインク吐出口を並べて設けたヘッドユニットを複数個、それぞれのインク吐出口の並びが略平行になるように一体配置して形成したインクジェットヘッドを備え、このインクジェットヘッドに対して、そのヘッドの各インク吐出口の並びの方向であるライン方向とは直交する方向に記録媒体を相対移動させつつ画像信号に基づいて前記インクジェットヘッドを駆動し、各インク吐出口から前記記録媒体に選択的にインクを吐出して記録を行うインクジェット記録装置において、
　１つのヘッドユニットに設けられた複数のインク吐出口の一部が、隣接するヘッドユニットに設けられた複数のインク吐出口の一部と紙送り方向において重複するように、隣接するヘッドユニットが配置されており、紙送り方向において重複した前記インク吐出口からのインク吐出を組み合わせて１ドットを形成するインクジェット記録装置。」（以下「引用発明２」という。）
　
４．本願発明と引用発明２との一致点及び相違点の認定
　引用発明２の「インク吐出口」、「記録媒体」、「インクを吐出して」、「インクジェット記録装置」は、それぞれ本願発明の「ノズル」、「印刷対象」、「インク液滴を飛び出させて」、「プリンタ」に相当し、また引用発明２において、「前記記録媒体に選択的にインクを吐出して記録を行う」ことは、引用発明２がインクジェット記録装置である以上は、記録媒体に画像を形成することを意味するから、引用発明２の「多数のインク吐出口を並べて設けたヘッドユニットを複数個、それぞれのインク吐出口の並びが略平行になるように一体配置して形成したインクジェットヘッドを備え、このインクジェットヘッドに対して、そのヘッドの各インク吐出口の並びの方向であるライン方向とは直交する方向に記録媒体を相対移動させつつ画像信号に基づいて前記インクジェットヘッドを駆動し、各インク吐出口から前記記録媒体に選択的にインクを吐出して記録を行うインクジェット記録装置」は、本願発明の「ノズル列を形成する複数のノズルよりそれぞれインク液滴を飛び出させて印刷対象に画像を形成するプリンタ」に相当する。
　また、引用例２に記載の「紙送り方向において」、「重複する」は、それぞれ本願発明の「印刷対象の送り方向より見て」、「重なり合う」に相当する。
　また、引用例２に記載の「インク吐出を組み合わせて１ドットを形成する」とは、インク滴を、ほぼ同一の箇所に付着させることに他ならない。
　そうすると、引用発明２の「ヘッドユニット」が、それ自体に複数のノズルを備えるのに対して、本願発明の「ヘッドチップ」は、複数のノズルを備えるノズルプレートに配置される構成である点で相違することを踏まえ、前記「ヘッドユニット」と「ヘッドチップ」のそれぞれに対応する複数のノズルを「ノズルグループ」と定義したならば、引用発明２と本願発明とは、「１つの前記ノズルグループに割り当てられた前記一部複数のノズルの一部が、隣接するノズルグループに割り当てた前記一部複数のノズルの一部と、ほぼ同一の箇所に前記インク液滴を付着させることができるように、印刷対象の送り方向より見て、隣接するノズルグループが一部で重なり合うように、前記ノズルグループが配置され」る点で共通する。
　したがって、本願発明と引用発明２とは、以下の一致点で一致し、以下の相違点で相違する。
　
＜一致点＞
「ノズル列を形成する複数のノズルよりそれぞれインク液滴を飛び出させて印刷対象に画像を形成するプリンタにおいて、
　１つの前記ノズルグループに割り当てられた前記一部複数のノズルの一部が、隣接するノズルグループに割り当てた前記一部複数のノズルの一部と、ほぼ同一の箇所に前記インク液滴を付着させることができるように、印刷対象の送り方向より見て、隣接するノズルグループが一部で重なり合うように、前記ノズルグループが配置されたプリンタ。」
　
＜相違点１＞
　本願発明が「ヘッドチップ」とは別に「ノズル列の形成された一枚の薄板材であるノズルプレート」を有し、ノズルプレートにヘッドチップを配置する構成であるのに対して、引用発明２では、「ヘッドユニット」とは別のノズルプレートを有さず、「ヘッドユニット」自体がノズル列を備えている点。
　
＜相違点２＞
　本願発明は、「ヘッドチップ」を「ノズルプレート」に配置するにあたって、「ヘッドチップ」を「前記ノズル列を形成する前記複数のノズルの一部複数のノズルに割り当て」「て前記ノズルプレートに順次配置」することで、「ヘッドチップ」と「前記ノズルプレート」とで「前記インク液滴のインクを保持するインク液室を形成」して「前記ノズルから前記インク液滴を飛び出させるインク吐出機構を形成」しているのに対して、引用発明２では、「ヘッドユニット」とは別のノズルプレートを有さない以上、このような構成を有さない点。
　
５．相違点についての判断
＜相違点１，２について＞
　原査定の拒絶の理由に引用された、本願の優先権主張日前に日本国内において頒布された特開平７−３０９０１２号公報（以下「引用例３」という。）には、次の記載が図示とともにある。
　
ａ．「また、本発明の液体噴射ヘッドの製造方法は、液体を吐出するための吐出エネルギー発生素子が複数設けられた素子基板を、支持体の同一面側に複数配した基体を準備する工程と、前記吐出エネルギー発生素子に対応した流路を形成するための溝が複数設けられ、複数の前記素子基板のエネルギー発生素子列を覆うための溝付部材を準備する工程と、前記基体に対して前記溝付部材を接合することによって、前記素子基板間の隙間を前記溝付部材の溝を構成する壁で覆うと共に、流路を形成する工程と、を有する方法である。」（【００１８】）
　
ｂ．「図１は本発明の液体噴射ヘッド（以下、インクジェットヘッドともいう。）を主要な部品の構成がわかるように説明するための図である。・・・図１において、素子基板（以下ヒーターボードともいう）１００は吐出エネルギー発生素子１０１が所定の位置に３６０ｄｐｉの密度にて１２８ケ設けられているものである。ここでは、素子としてインクに熱を与えるための発熱抵抗素子が設けられている例を示した。また、このヒーターボードには外部からの電気信号により任意のタイミングで吐出エネルギー発生素子１０１を駆動させたりする信号パッド、その駆動のための電力などを供給するための電力パッド等１０２が設けられている。」（【００２３】−【００２４】）
　
ｃ．「以上説明して来た天板２００は切削等による機械加工やモールド成型法、注型法、フォトリソグラフィーを使った方法等の公知の方法を用いて製造できる・・・ベースプレートの一方の面側にそれぞれ複数のエネルギー発生素子が設けられたヒーターボードを複数配列した基体に対して、複数のヒーターボードのエネルギー発生素子列を覆うような長尺の天板（溝付部材）を取り付けたヘッド構成とした。」（【００３７】−【００４０】）
　
ｄ．図３，図５からは、天板２００とヒータボード１００とによって流路２０２が形成される点、及び当該流路２０２がオリフィス２０３と連通している点、及び各流路２０２内に吐出エネルギー発生素子１０１が配置される点、及び天板２００にオリフィス２０３の列が形成され、当該オリフィス２０３の列を形成する複数のオリフィス２０３の一部複数のオリフィス２０３がヒーターボード１００に割り当てられている点が看取できる。
　
　引用例３の「オリフィス２０３」は、本願発明の「ノズル」に相当する。
　また、上記記載ｃ．からみて、天板２００は、モールド成型法、注型法を用いて製造されており、一つの天板２００であるといえるから、ノズル列を有する一つのノズル部材である点で、本願発明の「ノズルプレート」と共通する。
　また、記載ｂ．及び記載ｄ．からみて、インクが保持された「流路２０２」内に配置された吐出エネルギー発生素子１０１を駆動させることで、インクをオリフィス２０３から吐出させていることが理解されるから、ヒーターボード１００を天板２００に順次配置することで、「インク液室」が形成され、オリフィス２０３からインクを吐出させるインク吐出機構が形成されているといえ、引用例３の「ヒータボード１００」は、ノズルプレートに順次配置され、ノズルプレートと共にインク液滴のインクを保持するインク液室を形成し、ノズルからインク液滴を飛び出させるインク吐出機構を形成する本願発明の「ヘッドチップ」に相当するということができる。
　そうすると、上記記載ａ．〜ｄ．からみて、引用例３には、「ヘッドチップ」とは別にノズル列の形成された一つのノズル部材を備え、当該ノズル部材に「ヘッドチップ」を配置する構成（以下、「引用例３開示構成１」という。）、及び「ヘッドチップを前記ノズル列を形成する前記複数のノズルの一部複数のノズルに割り当ててノズル部材に順次配置することで、ヘッドチップとノズル部材とでインク液滴のインクを保持するインク液室を形成して、ノズルからインク液滴を飛び出させるインク吐出機構を形成」する構成（以下、「引用例３開示構成２」という。）が開示されているものと認める。
　してみるに、引用発明２において、インクジェットヘッドを構成するにあたって、上記引用例３開示構成１を参照して、ノズル列の形成された一つのノズル部材を別途設け、当該ノズル部材に「ヘッドチップ」を配置するようにして構成することは想到容易である。
　そして、上記別途設けられたノズル部材として、薄板材であるノズルプレートを採用することは周知（上記引用例１、特開平６−１９８８７６号公報、特開平４−２２３１７５号公報等参照）であることを考慮すると、上記ノズル部材を薄板材であるノズルプレートとすることは設計事項にすぎないから、引用発明２に上記引用発明３開示構成１を採用すること、すなわち相違点１に係る本願発明の構成を採用することは想到容易である。
　また上記別途設けた「ノズル部材」に「ヘッドチップ」を配置するにあたって、上記引用例３開示構成２を参照して、ヘッドチップを前記ノズル列を形成する前記複数のノズルの一部複数のノズルに割り当ててノズル部材に順次配置することで、ヘッドチップとノズル部材とでインク液滴のインクを保持するインク液室を形成して、ノズルからインク液滴を飛び出させるインク吐出機構を形成するように構成すること、すなわち相違点２に係る本願発明の構成を採用することは想到容易である。
　
　したがって、本願発明は引用発明２及び上記引用例３に開示された技術、及び周知技術に基づいて当業者が容易に発明をすることができたものであるから、特許法２９条２項の規定により特許を受けることができない。
　
　
第４　むすび
　本件補正は却下されなければならず、本願発明が特許を受けることができない以上、本願のその余の請求項に係る発明について検討するまでもなく、本願は拒絶を免れない。
　
　よって、結論のとおり審決する。